(57)【要約】【課題】取付作業性に優れたコネクタハウジングの取付構造を提供する。【解決手段】内装材１に形成された取付孔２に挿通して取付用ガーニッシュ７１を内装材１に取り付け、取付用ガーニッシュ７１に形成された孔部７３に挿通してコネクタハウジング３を取付用ガーニッシュ７１に取り付ける。取付用ガーニッシュ７１は、取付孔２の開口縁とコネクタハウジング３との隙間を覆う前面部７２と、取付孔７２に挿通される壁部材７７Ｌ，７７Ｒとを備える。コネクタハウジング３は、コネクタ受け部材５と、孔部７３に挿通される本体４とを備え、壁部材７７Ｌ，７７Ｒに形成された係止片が内装材１に係止され、壁部材７７Ｌ，７７Ｒには、リブ８１が本体４側に突設されているから、外部コネクタの引き抜き時、取付用ガーニッシュ７１の撓みを小さくして、抜けを防止することができる。【選択図】図１７
2019121571.tif 000002
【特許請求の範囲】
【請求項１】
被取付部材に形成された取付孔に挿通して取付用ガーニッシュを前記被取付部材に取り付け、
前記取付用ガーニッシュに形成された孔部に挿通してコネクタハウジングを前記取付用ガーニッシュに取り付けるコネクタハウジングの取付構造であって、
前記取付用ガーニッシュは、前記取付孔の開口縁と前記コネクタハウジングとの隙間を覆う一側面部と、前記取付孔に挿通される壁部材とを備え、
前記コネクタハウジングは、コネクタ受け部材と、前記孔部に挿通される本体とを備え、
前記壁部材に形成された係止部が前記被取付部材に係止され、
前記壁部材には、壁部材撓み規制部が前記本体側に突設されていることを特徴とするコネクタハウジングの取付構造。
【請求項２】
前記コネクタ受け部材には、コネクタ挿入孔が形成されていることを特徴とする請求項１記載のコネクタハウジングの取付構造。
【請求項３】
前記本体には、前記孔部の他方側に係止する係止部が設けられ、
前記本体の前記係止部の近傍には基板が実装されていることを特徴とする請求項１又は２記載のコネクタハウジングの取付構造。
【発明の詳細な説明】
【技術分野】
【０００１】
本発明は、コネクタハウジングの取付構造に関する。
【背景技術】
【０００２】
従来、この種のものとして、取付部材の取付孔の一方側から挿入される第１のコネクタハウジングと、前記取付部材の取付孔の他方側から挿入される第２のコネクタハウジングとを備え、前記第１のコネクタハウジングは、前記取付孔の周縁に仮係止される仮係止部と前記第２のコネクタハウジングに係止されるロックアームとを有し、前記第２のコネクタハウジングは、前記第１のコネクタハウジングへの嵌合過程で前記仮係止部を解除位置に変位させる仮係止解除部と前記ロックアームを前記取付孔の周縁に仮係止させる状態に撓み変形させ、且つ、前記ロックアームを係止するロックアーム係止部と取付孔の挿入完了位置で前記取付孔の周縁に係止する本係止部とを有するコネクタ装置（例えば特許文献１）があり、このコネクタ装置では前記第１のコネクタハウジングには、各種周辺装置等のケーブルの端子を接続する複数のコネクタ部が左右に並んで配置されている。
【０００３】
また、車両に設けられた接続端子を包囲して前記車両に装着可能な本体部を備え、前記蓋部の前記裏面の他端側には、前記蓋部の幅方向両側から突出して前記本体部の他端側の幅方向両側に設けられた係止孔部に係止可能な一対の蓋係止片が設けられた車両用コネクタ接続部品（例えば特許文献２）があり、このコネクタ接続部品では１つのＵＳＢケーブルが接続される。
【先行技術文献】
【特許文献】
【０００４】
【特許文献１】特許第６１０１６６４号公報
【特許文献２】特開２０１６−９６１０２号公報
【発明の概要】
【発明が解決しようとする課題】
【０００５】
上記特許文献１のコネクタ装置では、取付孔の一方側から第１のコネクタハウジングを挿入し、取付孔の他方側から第２のコネクタハウジングを挿入し、両コネクタハウジングをロック構造により連結すると共に、取付孔に固定するものであり、また、特許文献２の車両用コネクタ接続部品も、一方側と他方側とから本体部と蓋部とを連結するものであるから、取付構造が複雑になると共に、取付作業性に劣る問題がある。
【０００６】
そして、他の部材のため予め被取付部材に形成された孔を利用し、この孔を広げてコネクタハウジングを取り付ける場合、広げた箇所を隠すために取付用ガーニッシュを用いたり、前記孔より小さいコネクタハウジングを取り付ける場合、隙間を覆うために取付用ガーニッシュを用いたり、前記孔をそのまま使用する場合でも孔を隠すために取付用ガーニッシュを用いることが考えられる。
【０００７】
このため取付用ガーニッシュにコネクタハウジングを挿入する孔部を形成し、その取付用ガーニッシュを前記孔部に挿入して、該取付用ガーニッシュを被取付部材に固定する構造では、外部コネクタの抜き差しなどにより取付用ガーニッシュが撓むことがない取付構造を採用する必要がある。
【０００８】
また、上記特許文献２の車両用コネクタ接続部品は、縦向きのＵＳＢコネクタを１つしか接続することができず、これに対して、上記特許文献１のコネクタ装置では、横に並べて３つコネクタを接続することができるが、横向きで左右に並べるとスペースを取るという問題もある。
【０００９】
そこで、本発明は上記した問題点に鑑み、取付用ガーニッシュの撓みを小さくして、抜けを防止することができるコネクタハウジングの取付構造を提供することを目的とする。
【課題を解決するための手段】
【００１０】
上記目的を達成するために、請求項１に係る発明は、被取付部材に形成された取付孔に挿通して取付用ガーニッシュを前記被取付部材に取り付け、前記取付用ガーニッシュに形成された孔部に挿通してコネクタハウジングを前記取付用ガーニッシュに取り付けるコネクタハウジングの取付構造であって、前記取付用ガーニッシュは、前記取付孔の開口縁と前記コネクタハウジングとの隙間を覆う一側面部と、前記取付孔に挿通される壁部材とを備え、前記コネクタハウジングは、コネクタ受け部材と、前記孔部に挿通される本体とを備え、前記壁部材に形成された係止部が前記被取付部材に係止され、前記壁部材には、壁部材撓み規制部が前記本体側に突設されていることを特徴とする。
【００１１】
また、請求項２に係る発明は、前記コネクタ受け部材には、コネクタ挿入孔が形成されていることを特徴とする。
【００１２】
また、請求項３に係る発明は、前記本体には、前記孔部の他方側に係止する係止部が設けられ、前記本体の前記係止部の近傍には基板が実装されていることを特徴とする。
【発明の効果】
【００１３】
請求項１の構成によれば、壁部材撓み規制部により壁部材の内側への撓みが規制されるため、コネクタ引き抜き時、取付用ガーニッシュの撓みを小さくして、抜けを防止することができる。
【００１４】
請求項２の構成によれば、コネクタ挿入孔に外部コネクタを挿入することができる。
【００１５】
請求項３の構成によれば、基板により本体の内側への撓みが規制されるため、コネクタ引き抜き時、本体の撓みを小さくすることができる。
【図面の簡単な説明】
【００１６】
【図１】本発明の実施例１を示すコネクタハウジングの一方側から見た斜視図である。
【図２】同上、取付状態の他方側から見た斜視図である。
【図３】同上、コネクタ取付部にコネクタを取り付ける前における一方側から見た斜視図である。
【図４】同上、コネクタ取付部にコネクタを取り付ける前の他方側から見た斜視図である。
【図５】同上、側面図である。
【図６】同上、平面図である。
【図７】同上、底面図である。
【図８】同上、取付作業を説明する断面図であり、図８（Ａ）は取付用ガーニッシュの孔部に本体を挿入する状態を示し、図８（Ｂ）は取付後を示す。
【図９】同上、断面説明図である。
【図１０】同上、要部の断面図である。
【図１１】同上、取付用ガーニッシュの斜視図である。
【図１２】同上、取付用ガーニッシュの平面図である。
【図１３】同上、取付用ガーニッシュの左側面図である。
【図１４】同上、取付用ガーニッシュの背面図である。
【図１５】同上、取付用ガーニッシュの底面図である。
【図１６】同上、取付作業を説明する断面図であり、図１６（Ａ）は取付孔に取付用ガーニッシュの壁部材を挿入する状態を示し、図１６（Ｂ）は取付後を示す。
【図１７】同上、取付状態の平断面図である。
【図１８】同上、取付作業を説明する斜視図であり、図１８（Ａ）は製造時に形成された孔に蓋体を取り付けた状態を示し、図１８（Ｂ）は蓋体を取り外した状態を示し、図１８（Ｃ）は取付孔を加工した状態を示し、図１８（Ｄ）は取付用ガーニッシュを取り付けた状態を示し、図１８（Ｅ）は孔部に本体を挿入する状態を示す。
【発明を実施するための形態】
【００１７】
以下、図面を参照して、本発明のコネクタハウジングの取付構造の実施例について説明する。
【実施例１】
【００１８】
図１〜図１８は本発明の実施例１を示し、同図に示すように、コネクタハウジングの取付構造は、車両のインストルメントパネルなどの内装材１を被取付部材とし、前記内装材１に貫通形成された取付孔２に、外側である一方側からコネクタハウジング３が挿入されて、該コネクタハウジング３は取付用ガーニッシュ７１を介して前記内装材１に取り付けられる。前記内装材１は合成樹脂製である。
【００１９】
前記コネクタハウジング３は、前記取付用ガーニッシュ７１の孔部７３と前記取付孔２に挿通する本体４と、この本体４の前側に一体に設けられた縦板状のコネクタ受け部材５とを備え、これら本体４及びコネクタ受け部材５は合成樹脂製である。また、前記コネクタ受け部材５は正面視で縦長の長方形形状をなし、取付孔２の開口縁の一方側に係止し、そのコネクタ受け部材５の上下に後述する外部コネクタを一方側から挿入するコネクタ挿入孔６，６が穿設され、これらコネクタ挿入孔６，６は同一形状であって、横長な長方形形状をなす。さらに、前記コネクタ受け部材５の上下左右は前記本体４より僅かに大きく形成され、そのコネクタ受け部材５の周囲が、係止部たる係止縁部７であり、この係止縁部７が前記孔部７３の周囲の取付用ガーニッシュ７１の前面部７２に当接して係止する。このようにコネクタ受け部材５は、前側から外部コネクタたるＵＳＢコネクタ１０が挿入され、孔部７３の開口縁の一方側である前側に係止する。
【００２０】
前記本体４内には、上下にコネクタ８，９が収納され、上のコネクタ８は、上の前記コネクタ挿入孔６に臨んで配置され、下のコネクタ９は、下の前記コネクタ挿入孔６に臨んで配置されている。また、この例では、それらコネクタ８，９は、雌型のＵＳＢコネクタである。
【００２１】
前記本体４は、左右の壁部１１，１１と、これら左右の壁部１１，１１の下部を連結する底部１２とを一体に備え、左右の壁部１１，１１及び底部１２は板状をなす。それら左右の壁部１１，１１の外面１１Ｇ，１１Ｇの間隔は、前記取付孔２の左右寸法に対応し、この取付孔２の左右寸法より広い前記コネクタ受け部材５の左右外周側が、前記係止縁部７の左部７Ｌ及び右部７Ｒである。
【００２２】
前側における前記壁部１１の上縁１３と前記底部１２の下面との間隔が、前記取付孔２の上下の寸法に対応する。また、前記底部１２の下面は前記コネクタ受け部材５の下縁より上方にあり、前記底部１２より下方のコネクタ受け部材５の外周側が前記係止縁部７の下部７Ｋであり、コネクタ受け部材５の前記左右の壁部１１，１１の上縁１３，１３より上部が前記係止縁部７の上部７Ｊであり、図６に示すように、前記上部７Ｊは左右に分かれている。
【００２３】
前記壁部１１の前後方向中央側には、前記上縁１３の後端に連続する縦方向下向きの段差部１４が形成され、この段差部１４の前後が前記壁部１１の前壁部１５と後壁部１６になっている。また、前記前壁部１５の前記上縁１３の前後方向中央側には、縦方向の小段差部１７が形成され、左右の壁部１１，１１の上縁１３，１３間及び段差部１４，１４間は開口している。さらに、前記前壁部１５の前側には、係止部たる係止片２１，２１が上下に間隔を置いて形成され、この係止片２１は前記取付用ガーニッシュ７１の前面部７２の他方の面である内面に係止する。
【００２４】
図５などに示すように、前記係止片２１は、前記壁部１１にコ字型の切欠き溝２２を貫通形成し、この切欠き溝２２は、先端側（前端側）に先端溝部たる縦溝部２２Ｔを設け、この縦溝部２２Ｔの上，下端から後側に向かって横溝部２２Ｙ，２２Ｙを設けてなり、これにより係止片２１は先端側が自由端の弾性片となる。また、図８などに示すように、前記係止片２１の前側の外面に突起部２３を突出形成し、即ち左右の壁部１１，１１の左右外側に係止片２１，２１の突起部２３が形成され、この突起部２３の外面の後側には、後側から前側に向かって外側に傾斜した傾斜案内面２４が形成され、この傾斜案内面２４の前端から前側に向って係止面２５が形成されている。この係止面２５は、前記傾斜案内面２４の前端から本体４の左右方向中央向き（本体４の長さ方向と略直交方向）に形成された横係止面部２５Ａと、この横係止面部２５Ａの内端から前側内向き斜めに形成された斜め係止面部２５Ｂとを有する。また、この斜め係止面部２５Ｂの前端から前側に向かって、先端外面２６が形成され、この先端外面２６は、係止片２１の弾性変形前において、前記壁部１１の外面１１Ｇより左右方向外側に位置し、且つ、該壁部１１の外面１１Ｇと平行で前後方向に向いている。さらに、前記横係止面部２５Ａと前記傾斜案内面２４との間には、前記外面１１Ｇと平行な外端平面部２４Ｈが設けられている。
【００２５】
また、図８に示すように、係止縁部７の後面から斜め係止面部２５Ｂの前端までの長さＬＦと前記孔部７３における取付用ガーニッシュ７１の厚さＴが略等しいか、長さＬＦが厚さＴより多少大きい。この場合、厚さＴは長さＬＦの０．８〜１倍程度の大きさである。また、係止片２１には斜め係止面部２５Ｂが設けられているから、最大で、係止縁部７の後面から横係止面部２５Ａまでの長さＬの厚さＴを有する孔部７３に、本体４を挿通して、コネクタハウジング３を取付用ガーニッシュ７１に取り付けることができる。
【００２６】
前記前壁部１５の後側上部には、前記コネクタ８の側部が係入する係入受け部たる開口部３１が形成され、この開口部３１は前後方向に長く形成されている。また、前記開口部３１と前記上縁１３との間には、前後方向の上桟部３２が形成され、この上桟部３２に連続して前記開口部３１と前記段差部１４との間には、縦桟部３３が形成されている。
【００２７】
図５などに示すように、前記壁部１１には、前記段差部１４の下部に連続して略Ｌ型の切込み溝３４が形成され、この切込み溝３４の縦部３４Ｔと前記開口部３１との間に、前記縦桟部３３の縦桟下部３３Ｔが形成され、前記切込み溝３４の前側に向いた横部３４Ｙと前記開口部３１との間に、前後方向で前向きの下桟部３５が形成され、この下桟部３５は前記上桟部３２より短く形成されている。また、前記上桟部３２と縦桟部３３の角部の外縁には面取り部３６が形成され、同様に前記下桟部３５と縦桟下部３３Ｔの角部の外縁には面取り部３６が形成されている。そして、前記上桟部３２，縦桟部３３及び下桟部３５により、前記開口部３１を弾性変形可能とする外枠部３７を構成している。
【００２８】
そして、図４などに示すように、左右の前記前壁部１５，１５の間の上部空間により、前記コネクタ８を装着するコネクタ取付部１８を構成している。また、本体４における前記コネクタ取付部１８の下部が、本体下部１９である。
【００２９】
前記本体下部１９には、前記左右の壁部１１，１１の間に、図９に示すように収容部材たる基板４１を配置し、この基板４１の左右縁部は前記壁部１１，１１の内面に当接又は近接し、該基板４１により壁部１１，１１の内側への撓みを抑制している。尚、基板４１の前側は、前記コネクタ受け部材５の近傍で、係止片２１と重なり合う位置に配置されている。このようにコネクタ挿入孔６，６側の左右の壁部１１，１１間に、収容部材が配置されている。
【００３０】
取付状態において、前記本体下部１９の前側には、前記コネクタ９が収納されており、前記コネクタ９の導電端子４２が前記基板４１に実装されている。具体的には、図９に示すように、コネクタ９の端子４２を前記基板４１のスルーホール４３に挿通し、その端子４２を半田により基板４１の導電パターンに電気的に接続している。そして、下のコネクタ挿入孔６を通して前記コネクタ９に、外部コネクタたる雄型のＵＳＢコネクタ１０が接続される。
【００３１】
前記本体下部１９の後側には、車両側のハーネスのコネクタ（図示せず）を接続するコネクタ４５が設けられている。このコネクタ４５は、合成樹脂製の接続ケース４６に内蔵されている。この接続ケース４６は、上面部４６Ａ，底面部４６Ｂ及び左，右側面部４６Ｃ，４６Ｃを有し、前記ハーネスのコネクタを接続する接続口４７が後方に開口し、前記接続口４７内には、複数の導電端子４８が設けられ、この端子４８が前記基板４１に実装され、そのＬ形の端子４８の下端を、基板４１のスルーホール４３に挿通し、その端子４８を半田により基板４１の導電パターンに接続している。そして、前記基板４１は、前記端子４２，４８同士を電気的に接続するインターフェース基板であり、図示しない電子部品が実装されている。
【００３２】
前記接続ケース４６は前記本体４と別体に形成され、その接続ケース４６の左，右側面部４６Ｃ，４６Ｃの前側上部の左右に弾性係止片４９，４９を前向きに突設し、図１０に示すように、それら弾性係止片４９，４９を壁部１１，１１の係止孔５０，５０に係止し、また、前記接続ケース４６の底面部４６Ｂの前側左右に弾性係止片４９，４９を前向きに突設し、これら弾性係止片４９，４９を底面部４６Ｂの係止孔５０，５０に係止することにより、本体４に接続ケース４６を一体に組み付け固定している。尚、図中、４６Ｍが接続ケース４６の前縁であり、接続ケース４６の底面部４６Ｂ及び左，右側面部４６Ｃ，４６Ｃは、本体４の底部１２及び両壁部１１，１１と面一に連結され、図５などに示すように、前縁４６Ｍと本体４の後縁とは凹凸嵌合しており、上下方向が正しく位置合わせされている。
【００３３】
図６及び図９などに示すように、前記本体４内には、本体下部１９内の基板４１とコネクタ取付部１８とを仕切るシールド５１が設けられ、このシールド５１は電磁波などを遮断可能な金属板などからなる。シールド５１の後部には段差部５２が設けられ、この段差部５２によりシールド後部５１Ａがシールド５１の前部より高い位置にあり、そのシールド後部５１Ａにより前記端子４８の上方を覆っている。また、前記コネクタ９の端子４２の先端は、金属製などからなるシールドフレーム内に収納されている。尚、シールド５１に比べて基板４１は左右幅広に形成されている。
【００３４】
前記コネクタ取付部１８には、車両側の前記コネクタ８が収納される。このコネクタ８のコネクタケース５５は合成樹脂からなり、そのコネクタケース５５の左右側面後部に、前記開口部３１に嵌入する嵌合突部５６を突設し、コネクタ取付部１８に後方からコネクタ８を挿入することにより、開口部３１に嵌合突部５６が嵌合し、前記コネクタ取付部１８内にコネクタ８が着脱可能に固定される。この固定状態で、コネクタ８の先端が、上段の前記コネクタ挿入孔６に臨んで配置され、コネクタ挿入孔６を通してコネクタ８の先端に、外部コネクタたる雄型のＵＳＢコネクタ１０が接続される。
【００３５】
このようにコネクタ８をコネクタ取付部１８に収納すると、コネクタケース５５の側面が係止片２１，２１の内面に当接又は近接し、好ましくは当接し、これにより係止片２１が内側に撓むことが防止され、係止片２１と取付孔２の開口縁との確実な係止状態を維持することができる。尚、コネクタケース５５の側面が係止片２１の内面に間隔を持って近接している場合は、その間隔分だけ係止片２１が内側に撓んでも、係止片２１が取付孔２の開口縁から外れない間隔に設定する。
【００３６】
前記コネクタ受け部材５の前面には、前記コネクタ挿入孔６，６を開閉する蓋体６１が設けられている。また、前記コネクタ受け部材５の上部から前側に取付部６２を前向きに突設し、図６に示すように、前記取付部６２の先端側と蓋体６１の上部に取付軸６３を挿通し、この取付軸６３を中心に蓋体６１を開閉自在に設けている。また、取付軸６３には付勢手段であるトーションスプリング６４が外装され、そのトーションスプリング６４により蓋体６１を閉める方向に付勢している。
【００３７】
前記コネクタハウジング３は、合成樹脂製の前記取付用ガーニッシュ７１を介して前記内装材１に取り付けられる。図１１〜図１５などに示すように、前記取付用ガーニッシュ７１は、一側面部たる平板状の前面部７２を有し、この前面部７２は、前記取付孔２より大きく、一側周縁部たる前面部７２の周縁部を覆い、取付用ガーニッシュ７１により取付孔２の開口縁とコネクタハウジング３との隙間が覆われる。前記前面部７２には、前記コネクタハウジング３の本体４を挿通する孔部７３が形成されており、前記前面部７２は、前記孔部７３の上下に横方向の上，下横枠部７４，７５を有すると共に、前記孔部７３の左右に縦方向の左，右縦枠部７６Ｌ，７６Ｒを有する。また、前記前面部７２は横長の長方形形状をなし、前記孔部７３は前記コネクタハウジング３の本体４に対応して縦長の長方形形状をなす。
【００３８】
前記上横枠部７４は下横枠部７５より上下方向に幅広で、前記上横枠部７４の上下方向の幅に比べて前記左，右縦枠部７６Ｌ，７６Ｒの左右幅が広い。そして、前面部７２の周囲の後面により取付孔２の開口縁の前面周囲が覆われ、このように取付用ガーニッシュ７１は、取付孔２を覆う枠部材としての前記前面部７２を有する。
【００３９】
図１８（Ｂ）に示すように、前記取付孔２は、縦長の略長方形形状の中央孔部６６と、この中央孔部６６の左右に連続形成されると共に中央孔部６６より高さ寸法の小さい左，右取付孔部６７，６８とを有する。これら左，右取付孔部６７，６８は高さ寸法が異なり、具体的には左取付孔部６７が右取付孔部６８より高さ寸法が大きく形成されている。
【００４０】
また、前記前面部７２の左，右縦枠部７６Ｌ，７６Ｒの後面には、縦板状をなす左右の壁部材７７Ｌ，７７Ｒが後方に向かって延びるように突設されており、取付状態で、左右の壁部材７７Ｌ，７７Ｒは前記左，右取付孔部６７，６８にそれぞれ挿通される。また、取付状態で、前記コネクタハウジング３の本体４は、取付用ガーニッシュ７１の後側である他側方向に向かって壁部材７７Ｌ，７７Ｒと平行に延びる。
【００４１】
図１４などに示すように、前記左右の壁部材７７Ｌ，７７Ｒの上下縁には、左右方向中央側に向かって、板状をなす上面部７８と下面部７９が横方向に突設され、上面部７８に比べて下面部７９が左右方向に幅広く形成されている。また、左右の上，下面部７８，７８，７９，７９は、それぞれ前記左，右取付孔部６７，６８に対応して形成され、高さ位置が異なる。具体的には、右の上面部７８は左の上面部７８より低い位置にあり、右の下面部７９は左の下面部７９より高い位置にある。
【００４２】
また、図１３及び図１４などに示すように、前記左右の壁部材７７Ｌ，７７Ｒには、それぞれ係止片１２１，１２１が上下に間隔を置いて設けられている。尚、前記係止片１２１は、前記係止片２１と同一構成であり、その周囲に前記切欠き溝２２が形成されている。さらに、左右でそれぞれ上側の係止片２１は、上面部７８に近接して設けられ、下側の係止片２１は、下面部７９に近接して設けられており、係止片１２１，１２１の間の壁部材中央部７７Ｓは、左側が右側に比べて高さ寸法が大きく形成されている。また、係止片２１は、前記孔部７３の周縁対応箇所に設けられている。
【００４３】
そして、左側の壁部材７７Ｌと上，下面部７８，７９により、略コ字形の左挿入部８０Ｌを構成し、右側の壁部材７７Ｒと上，下面部７８，７９により、略コ字形の右挿入部８０Ｒを構成している。尚、図２及び図４では、左挿入部８０Ｌを図示省略している。
【００４４】
さらに、図１５などに示すように、左右の下面部７９，７９には、係止片２２１が設けられている。尚、前記係止片２２１は、前記係止片２１が壁部１１に設けられているのに対して、下面部７９に設けられている以外は同一構成であり、その周囲に切欠き溝２２２が形成されている。前記係止片２２１は下面部７９に設けられているため、前記切欠き溝２２２は、先端側（前端側）に左右方向の先端溝部たる前溝部２２Ｍを設け、この縦溝部２２Ｔの左，右端から後側に向かって後溝部２２Ｕ，２２Ｕを設けてなり、これにより係止片２２１は先端側が自由端の弾性片となる。また、図１６に示すように、前記係止片２２１の前側の外面に突起部２３を突出形成し、即ち下面部７９の下側に係止片２２１の突起部２３が形成されている。また、係止片２２１の係止面２５は、前記傾斜案内面２４の前端から上向き（左，右挿入部８０Ｌ，８０Ｒの長さ方向と略直交方向）に形成された前記横係止面部２５Ａを有する。さらに、係止片２２１の先端外面２６は、係止片２２１の弾性変形前において、前記下面部７９の下面より下側に位置し、且つ、該下面部７９の下面と平行で前後方向に向いている。
【００４５】
そして、壁部材７７Ｌ，７７Ｒ及び下面部７９に設けられた係止片１２１，１２１，１２１，１２１，２２１，２２１は、図１６に示すように、いずれも前面部７２の後面から斜め係止面部２５Ｂの前端までの長さＬＦと前記内装材１の厚さＴ´が略等しいか、長さＬＦが厚さＴ´より多少大きい。
【００４６】
図１７などに示すように、左右の前記壁部材７７Ｌ，７７Ｒの壁部材中央部７７Ｓ，７７Ｓの内面には、左右方向内側に延びる壁部材撓み規制部たるリブ８１が略水平に突出形成されている。このリブ８１の前側は前面部７２に固定されており、左右の前記リブ８１，８１の内縁部８１Ｆ，８１Ｆは、相互に平行をなし、取付状態で、前記壁部１１，１１の外面１１Ｇ，１１Ｇに近接する。尚、内縁部８１Ｆは、外面１１Ｇの高さ方向中央位置で前記外面１１Ｇに近接する。また、左右のリブ８１，８１は、前記壁部材中央部７７Ｓ，７７Ｓの高さ方向中央で同一高さ位置にあり、前記壁部材７７Ｌ，７７Ｒから前記本体４側に突出して前記本体４と略平行に延びる。
【００４７】
次に、前記コネクタハウジング３の取付方法について説明する。車両の内装材１に前記取付孔２を形成する。この場合、製造時に形成されていた孔６５を加工して取付孔２を拡大して形成することができる。一例として、図１８に示したように、前記孔６５は、左孔部６５Ｌが右孔部６５Ｒより上下に大きい段付き孔であり、不使用時は左右の蓋体５８，５８により塞がれ、使用時には蓋体５８は外して専用の機器が取り付けられる。コネクタハウジング３と取付用ガーニッシュ７１を内装材１に取り付けるため、前記孔６５の左右方向中央の上下を、拡大加工して前記孔部７３より大きい前記中央孔部６６を形成し、中央孔部６６を形成した後に残った左，右孔部６５Ｌ，６５Ｒにより、取付孔２の左，右取付孔部６７，６８が構成される。尚、前記左，右挿入部８０Ｌ，８０Ｒは左，右取付孔部６７，６８に対応した形状に形成され、左，右取付孔部６７，６８内に前記左，右挿入部８０Ｌ，８０Ｒが嵌入する。
【００４８】
そして、内装材１の前側から取付用ガーニッシュ７１の左，右挿入部８０Ｌ，８０Ｒを、取付孔２の左，右取付孔部６７，６８に挿入する。左，右挿入部８０Ｌ，８０Ｒを、取付孔２の左，右取付孔部６７，６８に挿入すると、図１６に示すように取付孔２に係止片２１の傾斜案内面２４が当接し、係止片２１が内側に押し込まれるように弾性変形し、傾斜案内面２４が取付孔２を通過することにより、係止片１２１が復帰し、内装材１の外面に前面部７２が当接すると共に、取付孔２の開口縁に係止片１２１の先端外面２６が近接又は当接する。取付用ガーニッシュ７１を前側に動かそうとする力が加わっても、取付孔２の後側角部２Ｋは斜め係止面部２５Ｂに当接するため、位置ずれを防止できる。
【００４９】
また、左右の壁部材７７Ｌ，７７Ｒの係止片１２１，１２１は、取付孔２の開口縁の他方側に係止し、具体的には左，右取付孔部６７，６８の左右方向外側の縦縁部６７Ｔ，６８Ｔの他方側の面である後面に係止し、左右の下面部７９，７９の係止片２２１，２２１は、左，右取付孔部６７，６８の下縁部６７Ｓ，６８Ｓの後面に係止する。尚、図９では、コネクタ８のハーネス５７を図示しているが、他の図面では図示を省略している。
【００５０】
このように取付孔２に左，右取付孔部６７，６８を挿通して内装材１に取付用ガーニッシュ７１を取付けた後、取付用ガーニッシュ７１の孔部７３に本体４を挿通して前面部７２にコネクタハウジング３を取り付ける。図８に示すように、本体４を孔部７３に挿入すると、孔部７３に係止片２１の傾斜案内面２４が当接し、係止片２１が内側に押し込まれるように弾性変形し、傾斜案内面２４が孔部７３を通過することにより、係止片２１が復帰し、取付用ガーニッシュ７１の前面部７２の外面にコネクタ受け部材５の係止縁部７の後面が当接すると共に、孔部の開口縁７３に係止片２１の先端外面２６が近接又は当接する。
【００５１】
この状態で、コネクタハウジング３を前側に動かそうとする力が加わっても、孔部７３の後側角部７３Ｋは斜め係止面部２５Ｂに当接するため、抜け出しを防止できる。
【００５２】
尚、取付用ガーニッシュ７１にコネクタハウジング３を取り付けて一体化した後、この一体化したものを、取付孔２を介して内装材１に取り付けることもできる。
【００５３】
この後、コネクタ取付部１８内に車両側のコネクタ８を挿入し、コネクタケース５５の側面後部の嵌合突部５６が前記開口部３１に嵌入することにより、前記コネクタ取付部１８内にコネクタ８が着脱可能に固定される。これにより左右の壁部１１，１１の上部間の間隔を狭めようとする力に対してコネクタ８が対抗して変形が防止され、また、左右の壁部１１、１１の下部間に基板４１が配置されているため、前記変形が防止され、さらに、コネクタ８により上部左右の係止片２１，２１の内側への変形が防止される。
【００５４】
また、左，右取付孔部６７，６８の高さと左，右挿入部８０Ｌ，８０Ｒの高さの寸法差に比べて、突起部２３の高さＴＫの寸法が大きいから、下面部７９の係止片２１においても確実な係止状態が得られる。
【００５５】
従って、本体４の左右上下の係止片２１，２１，２１，２１の内側への変形が防止されるため、コネクタ８，９へのＵＳＢコネクタ１０の挿脱の際、コネクタハウジング３に力が加わっても、コネクタハウジング３が抜けることなく、安定した取付状態が得られ、特に、ＵＳＢコネクタ１０の抜き取り時の荷重に耐えることができる取付強度を確保でき、特に振動条件の車両用などに適した構造となる。
【００５６】
しかも、取付状態で、取付用ガーニッシュ７１のリブ８１，８１の内縁部８１Ｆ，８１Ｆが、コネクタハウジング３の本体４の外面１１Ｇ，１１Ｇに近接しているため、ＵＳＢコネクタ１０の抜き差しなどにより左右の壁部材７７Ｌ，７７Ｒの間隔を狭める方向の力が加わっても、内縁部８１Ｆ，８１Ｆが外面１１Ｇ，１１Ｇに当接することにより、前記間隔を狭めることができず、撓み量を少なくすることができるため、壁部材７７Ｌ，７７Ｌの係止片１２１の内側への変形が防止される。
【００５７】
また、取付においては、取付用ガーニッシュ７１及びコネクタハウジング３を一方向から挿入し、コネクタハウジング３に装着する必要があるコネクタ８を他側で装着するから、取付作業性に優れたものとなる。さらに、コネクタ挿入孔６，６を上下に配置することにより、左右に配置する場合に比べて、スペースを取らない。
【００５８】
また、取付状態では、取付用ガーニッシュ７１の前面部７２により取付孔２の加工箇所が隠れるため、外観意匠性に優れたものとなる。
【００５９】
このように本実施例では、請求項１に対応して、被取付部材たる内装材１に形成された取付孔２に挿通して取付用ガーニッシュ７１を内装材１に取り付け、取付用ガーニッシュ７１に形成された孔部７３に挿通してコネクタハウジング３を取付用ガーニッシュ７１に取り付けるコネクタハウジングの取付構造であって、取付用ガーニッシュ７１は、取付孔２の開口縁とコネクタハウジング３との隙間を覆う一側面部たる前面部７２と、取付孔２に挿通される壁部材７７Ｌ，７７Ｒとを備え、コネクタハウジング３は、コネクタ受け部材５と、孔部７３に挿通される本体４とを備え、壁部材７７Ｌ，７７Ｒに形成された係止部たる係止片１２１が内装材１に係止され、壁部材７７Ｌ，７７Ｒには、壁部材撓み規制部たるリブ８１が本体４側に突設されているから、リブ８１，８１により壁部材７７Ｌ，７７Ｒの内側への撓みが規制されるため、ＵＳＢコネクタ１０の引き抜き時、取付用ガーニッシュ７１の撓みを小さくして、抜けを防止することができる。
【００６０】
このように本実施例では、請求項２に対応して、コネクタ受け部材５には、コネクタ挿入孔６が形成されているから、コネクタ挿入孔６に外部コネクタあるＵＳＢコネクタ１０を挿入することができる。
【００６１】
このように本実施例では、請求項３に対応して、本体４には、孔部７３の開口縁の他方側たる後側に係止する係止部たる係止片２１が設けられ、本体４の係止片２１の近傍には基板４１が実装されているから、基板４１により本体４の内側への撓みが規制されるため、ＵＳＢコネクタ１０の引き抜き時、本体４の撓みを小さくすることができる。
【００６２】
以下、実施例上の効果として、左右の壁部材７７Ｌ，７７Ｒには上下に上，下面部７８，７９が設けられているから、左，右挿入部８０Ｌ，８０Ｒは断面コ字形となり、強度的に優れ、壁部材７７Ｌ，７７Ｒの内側への変形を防止できる。また、左，右挿入部８０Ｌ，８０Ｒは形状が異なるから、取付用ガーニッシュ７１の上下を間違えることなく取り付けることができる。さらに、縦方向上下と下部横方向に係止片１２１，１２１，２２１が設けられているため、安定した取付状態が得られる。
【００６３】
また、実施例上の効果として、係止片２１には斜め係止面部２５Ｂが設けられているから、最大で、係止縁部７の後面から横係止面部２５Ａまでの長さＬの厚さＴを有する取付孔２を有する内装材１に取り付けることができる。また、嵌合突部５６が嵌合する係入受け部たる開口部３１が、外枠部３７内に設けられ、この外枠部３７は弾性変形可能なように外側が開放されているから、開口部３１への嵌合突部５６の嵌合作業を容易に行うことができ、嵌合後は、下桟部３５は上桟部３２より短く形成されているため、確実な嵌合状態を保持できる。
【００６４】
また、蓋体６１は上部をコネクタハウジング３に回動可能に連結しているから、蓋体６１を上側に回動して開くことにより、横開きに比べて、コネクタ挿入孔６への外部コネクタの抜き差し作業を容易に行うことができ、且つ内装材１のスペースを取らない。さらに、コネクタ取付部１８をコネクタハウジング３の上部に設けたから、コネクタ８を装着し易くなる。また、係止片２１は先端外面２６を有し、この先端外面２６は、係止片２１の弾性変形前において、前記壁部１１の外面１１Ｇより左右方向外側に位置するから、取付状態で、取付孔２の開口縁に係止片２１の先端外面２６が近接又は当接し、近接する場合でも、取付孔２の開口縁と係止片２１との間の隙間を小さくすることができ、安定した取付状態が得られる。また、同様に、取付用ガーニッシュ７１の前面部７２の孔部７３に、係止片１２１の先端外面２６が近接又は当接するから、安定した取付状態が得られる。
【００６５】
尚、本発明は、本実施例に限定されるものではなく、本発明の要旨の範囲内で種々の変形実施が可能である。例えば、実施例では、係止部の形状は実施例に限定されず、適宜選定可能である。また、実施例では、取付孔を加工する後付けの場合を例にして説明したが、製造時に形成した取付孔に本発明の取付構造を用いることができる。また、実施例では、平板状の壁部材撓み規制部を用いたが、平板状に限らず、断面略三角形など形状は適宜選定可能であり、また、壁部材撓み規制部を前後方向に間隔を置いて配置した複数の突起などにより構成してもよく、この場合は突起の先端が本体の外面に当たることにより、壁部材の内側への撓みを規制でき、このように壁部材の内側への撓みを規制できるものであれば、壁部材撓み規制部は各種のものを用いることができる。
【符号の説明】
【００６６】
１  内装材（被取付部材）
２  取付孔
３  コネクタハウジング
４  本体
５  コネクタ受け部材
６  コネクタ挿入孔
８  コネクタ
９  コネクタ
１０  ＵＳＢコネクタ（外部コネクタ）
２１  係止片（係止部）
７１  取付用ガーニッシュ
７２  前面部（一側面部）
７３  孔部
７７Ｌ，７７Ｒ  壁部材
８１  リブ（壁部材撓み規制部）
【図１】
2019121571.tif 000003
【図２】
2019121571.tif 000004
【図３】
2019121571.tif 000005
【図４】
2019121571.tif 000006
【図５】
2019121571.tif 000007
【図６】
2019121571.tif 000008
【図７】
2019121571.tif 000009
【図８】
2019121571.tif 000010
【図９】
2019121571.tif 000011
【図１０】
2019121571.tif 000012
【図１１】
2019121571.tif 000013
【図１２】
2019121571.tif 000014
【図１３】
2019121571.tif 000015
【図１４】
2019121571.tif 000016
【図１５】
2019121571.tif 000017
【図１６】
2019121571.tif 000018
【図１７】
2019121571.tif 000019
【図１８】
2019121571.tif 000020